(57)【特許請求の範囲】
【請求項１】
釣用リールを装着するために釣用リールの脚部を保持するリールシートを備えた釣竿であって、
上記リールシートは、
上記脚部の前端部または後端部のいずれか一方側が収容保持される第１フード部と、
第１フード部に対して近接／離反し、近接することによって上記脚部の前端部または後端部のいずれか他方側を収容保持する第２フード部と、
第１フード部および第２フード部により保持される上記脚部の側面部分を被う一対の側壁部を有するスカート部とを備え、
上記一対の側壁部が、上記脚部の側面部分に当接するように配置されており、
上記スカート部の第２フード側部分は、
上記第２フード部が第１フード部に近接する際に第２フード部の内面に摺接しながら当該第２フード部内に進入するように、その外形が内側へ漸次曲成されており、第２フード部が第１フード部に近接するに伴い、内側に絞り込まれるように変形することを特徴とする釣竿。
【請求項２】
請求項１記載の釣竿において、上記スカート部は、所要の可撓性を有していることを特徴とする釣竿。
【請求項３】
請求項１または２記載の釣竿において、上記一対の側壁部が互いに内側に突出するように形成されていることを特徴とする釣竿。
【請求項４】
請求項１ないし３のいずれかに記載の釣竿において、上記スカート部は、外方に湾曲した湾曲面を有していることを特徴とする釣竿。
【発明の詳細な説明】
【０００１】
【発明の属する技術の分野】
この発明は、釣竿に関し、詳しくは釣用リールを装着するためのシールシートの形状に関するものである。
【０００２】
【従来の技術および発明が解決しようとする課題】
釣用リールを装着して使用する釣竿では、一般に釣用リールを装着するためのリールシートが備えられている。図７は、従来の釣竿のリールシート部分の構造を示す要部拡大図である。
【０００３】
同図に示すように、リールシート１は、フード部２およびこれに対して矢印３の方向に沿って近接／離反するフード部材４を備えている。すなわち、このリールシート１は、いわゆるスクリュータイプのものである。フード部材４はナット５を備えており、このナット５が釣竿に形成されたねじ部６と螺合している。したがって、ナット５を回転させることによって、フード部材４がフード部２に対して近接／離反するようになっている。そして、これらフード部２とフード部材４との間にリールの脚部７を配置し、ナット５を回転させてフード部材４をフード部２側へ移動させることによって両者間でリールの脚部７を挟み込む。これにより、釣用リールが釣竿に装着固定されるようになっている。
【０００４】
このように従来のリールシート１の構造では、釣用リールの脚部７は、釣竿の長手方向（上記矢印３の方向）について、フード部２とフード部材４とによって挟持されるようになっている。したがって、リールの脚部７は、上記方向には強固な固定が可能であるが、横方向（図７において紙面に垂直な方向）には、がたつき等が生じる程ではないにしても、強固に固定することができない。このため、たとえば大型の魚をターゲットとする釣竿等においては、安心感のあるファイティングを可能とするためにも、釣用リールを上記横方向について従来よりも一層強固に固定したいという要請がある。
【０００５】
また、魚がヒットした際には、通常、釣人はリールシート部分を手で把持してファイティングを行うものであるところ、リールシート部分の形状は、それを把持する際に手にフィットするものであることが好ましい。特に、大形の魚をターゲットとする釣竿においては、その要請は大きい。
【０００６】
そこで、本発明の第１の目的は、把持した際に手にフィットし、ハードなファイティングを支援する釣竿を提供することである。また、本発明の第２の目的は、釣用リールを強固に固定し、ハードなファイティングにも対応することができる釣竿を提供することである。
【０００７】
【課題を解決するための手段】
(1)  上記第１の目的を達成するため、本願に係る釣竿は、釣用リールを装着するために釣用リールの脚部を保持するリールシートを備えた釣竿であって、上記リールシートは、上記脚部の前端部または後端部のいずれか一方側が収容保持される第１フード部と、第１フード部に対して近接／離反し、近接することによって上記脚部の前端部または後端部のいずれか他方側を収容保持する第２フード部とを備え、第１フード部および第２フード部により保持される上記脚部の側面部分を被うように配置されたスカート部を有していることを特徴とするものである。
【０００８】
この構成によれば、釣用リールの脚部をリールシート上に配置し、当該脚部の前端部または後端部のいずれか一方側を第１フード部に保持させた状態で第２フード部を第１フード部に近接させると、上記脚部の前端部または後端部のいずれか他方側が第２フード部によって保持される。つまり、釣用リールの脚部の前端部および後端部が第１フード部および第２フードによって固定される。このとき、スカート部によって釣用リールの脚部の側面部分が被われるから、リールシートと釣用リールの脚部との間に生じる隙間を無くすことができる。
【０００９】
すなわち、釣用リールの脚部は通常Ｔ字状に形成されており、このＴ字状に形成された両端部（上記前端部および後端部）が固定されるものであるため、仮にスカート部がない状態では、リールシートと上記Ｔ字状の脚部の外縁部分との間に隙間（空間）が生じる。しかし、上記スカート部が上記脚部の側面部分に配置されることにより、当該スカート部が上記隙間（空間）を塞ぐカバーの役目をする。
【００１０】
したがって、釣人が釣竿を把持する場合には（通常は、リールシート部分が把持される）、上記スカート部と共にリールシート部分全体が把持されるが、上記隙間（空間）が塞がれているから、釣人の手は、上記スカート部の外面に沿って当接しながら釣竿を握ることになる。これにより、釣人の手は、釣竿にフィットする。
【００１１】
(2)  また、上記第２の目的を達成するため、本願に係る釣竿は、上記スカート部が、所要の可撓性を有していることを特徴とするものである。
【００１２】
この構成によれば、上述のように釣人が釣竿を把持した際には、上記スカート部が変形して上記脚部の側面部分に当接する。したがって、上記脚部は、横方向（前後方向に交差する方向）にも固定されることになる。
【００１３】
(3)  さらに、上記第２の目的を達成するため、上記スカート部は、上記脚部の側面部分に当接するように配置してもよい。
【００１４】
この構成によれば、釣用リールをリールシートに装着した状態で釣用リールの脚部の側面部分にスカート部が当接するから、このスカート部によって上記脚部は、横方向（前後方向に交差する方向）にも固定されることになる。
【００１５】
(4)  加えて、上記スカート部は、上記第１フード部または第２フード部に延設されていてもよい。このようにすれば、リールシートを構成する際にスカート部を一体的に形成することができる。
【００１６】
また、上記スカート部に、外方に湾曲した湾曲面を形成することもできる。このようにすれば、釣竿を把持した際に釣人の手がこの湾曲面に沿って当接することになるから、釣人の手が釣竿に一層フィットする。
【００１７】
さらに、上記スカート部の第２フード側部分の形状について、上記第２フード部が第１フード部に近接する際に第２フード部の内面に摺接しながら当該第２フード部内に進入するように、その外形を内側へ漸次曲成することもできる。このようにすれば、第２フード部を第１フード部側へ移動させたときにスカート部を内側に（すなわち、釣用リールの脚部の側面側に）変形させることができる。これにより、上記脚部の側面部分を強固に固定することができ、当該脚部を横方向（前後方向に交差する方向）に強固に固定することが可能となる。
【００１８】
【発明の実施の形態】
以下、本発明の実施の形態について説明する。
【００１９】
図１は、本発明の一実施形態に係る釣竿の側面図である。
【００２０】
本実施形態に係る釣竿１０は、いわゆる振出式のものである。釣竿１０は、第１節１１〜第４節１４までの各要素から構成されており、第１節１１が第２節１２に対して伸縮する。同様に、第２節１２および第３節１３は、それぞれ第３節１３および第４節１４に対して伸縮するようになっている。なお、図１では第４節１４部分を明確に図示するために、釣竿１０を全伸長させた状態ではなく第１節１１〜第３節１３を若干伸長させた状態で図示している。
【００２１】
釣竿１０を構成する各節１１〜１４は細長棒状に形成され、たとえばカーボン繊維を筒状に形成する等、公知の要領で製造することができる。本実施形態では、釣竿１０はいわゆるインナーガイドタイプのものである。このため、第４節１４には釣糸導入部１５が形成されており、釣糸（図示せず）は、この釣糸導入孔１５から釣竿１０内部に導入され、先端部１６から導き出されるようになっている。
【００２２】
次に、第４節１４には釣用リール（以下、単に「リール」という。）が装着されるようになっており、そのためのリールシート１７が設けられている。この釣竿１０では、リールシート１７は第４節１４と一体的に形成されている。もっとも、第１４節とは別にリールシートを構成し、これを第４節１４に取り付けるようにすることもできる。
【００２３】
本実施形態に係るリールシート１７は、いわゆるスクリュータイプのものである。すなわち、このリールシート１７は、フード部材２０（第２フード部）を備えており、これを後述のように移動させることによってリールの脚部２４を挟み込んで固定するようになっている（図３参照）。そして、本実施形態の特徴とするところは、このリールシート１７がスカート部Ｓを備えている点であり、このスカート部Ｓにより、リールの前後方向（釣竿１０の長手方向）および左右方向（釣竿１０の径方向）について強固な固定を可能とし、また、釣人が釣竿１０を握ったときに優れたフィット感が得られるようになっている。以下、リールシート１７について詳しく説明する。
【００２４】
図２ないし図４は、それぞれ、リールシート１７部分の拡大正面図、一部断面拡大正面図および拡大平面図であり、これら各図面によってシールシート１７の構造を詳細に示している。なお、図３では、二点鎖線によってリールの脚部２４を図示している。
【００２５】
これらの図を参照して、リールシート１７は、リールの脚部２４を載置するための載置面部１８と、載置面部１８の左端（各図において左側であって、釣竿１０の先端側）に連続して形成されたフード部１９（第１フード部）と、載置面部１８の右端（各図において右側であって、釣竿１０の基端側）に設けられたフード部材２０と、フード部１９および載置面部１８を取り囲むように形成された上記スカート部Ｓとを有している。本実施形態では、上述したようにリールシート１７が第４節１４と共に一体的に形成されているから、これらスカート部Ｓ、載置面部１８およびフード部１９は、第４節１４に連続して一体的に形成されている。
【００２６】
載置面部１８は、第４節１４の中間部分を平坦に形成することにより構成されており、この載置面部１８にリールの脚部２４が当接されるようになっている（図３参照）。また、本実施形態では載置面部１８が平面として構成されているが、この中央部を凹ませた形状とすることもできる。そのようにしても、リールの脚部２４は、載置面部１８の両端部分に載置され、後述のように確実に保持することができる。
【００２７】
図３および図４を参照して、フード部１９は、第４節１４に連続し、載置面部１８の左端部分を囲繞するように形成されている。したがって、フード部１９によって、当該フード部１９と載置面部１８との間に空間２２が形成され、この空間２２にリールの脚部２４の一端部２５が挿入されるようになっている。なお、この空間２２を区画するフード部１９の内面２３は、図３に示すようなテーパ面に形成されており、脚部２４の一端部２５が挿入されることによって、当該一端部２５に上記内面２３が当接し、確実に保持することができるようになっている。
【００２８】
フード部材２０は、フード本体２６とナット部材２７とを有し、このナット部材２７が第４節１４に螺合されている。ナット部材２７は、フード本体２６に対して回動自在となっており、両者間の共回りを回避している。すなわち、第４節１４には長手方向（所定方向）に沿って雄ねじ２８が形成されており、ナット部材２７の内面には雌ねじ（図示せず）が形成されている。そして、これら雄ねじ２８および雌ねじが互いに螺合されており、ナット部材２７を回すことによって、ナット部材２７と共にフード本体２６が矢印２９の方向（第４節１４の長手方向）に移動することができるようになっている。
【００２９】
フード本体２６は筒状に形成されており、第４節１４に外嵌されている。フード本体２６は、その上部が上方に湾曲されており、上記載置面部１８との間で空間３０が形成されている（図３参照）。この空間３０にリールの脚部２４の他端部３１（図３参照）が挿入されるようになっている。なお、この空間３０を区画するフード本体２６の内面は、上述したフード部１９の内面２３と同様にテーパ面に形成されており、脚部２４の他端部３１が挿入されることによって、当該他端部３１と当該内面とが当接し、確実に保持することができるようになっている。
【００３０】
次に、スカート部Ｓは、上記載置面部１８の両側に配置された一対の側壁部３２，３３と、これらを連結する連結部３４とを有している。上述のように、このスカート部Ｓはリールシート１７と一体的に形成されているから、これら側壁部３２，３３および連結部３４は連続して一体的に形成されており、スカート部Ｓの外形形状が、リールシート１７の外形形状を構成している。
【００３１】
上記側壁部３２，３３は左右対称な形状に構成されている。これら側壁部３２，３３は、リールの脚部２４の側面部分を被うように形成されている。すなわち、側壁部３２，３３は、フード部１９に連続して上方に立ち上がり、且つフード部材２０側へ延設されている。そして、これら側壁部３２，３３が上記連結部３４によって連結され、スカート部Ｓ全体の一定の剛性が確保されている。なお、本実施形態では、側壁部３２，３３（スカート部Ｓ）をフード部１９に連続して形成しているので、スカート部Ｓ全体の剛性を一層向上させることができる。もっとも、側壁部３２，３３をフード部１９とは別の部材として構成することもできるし、その場合に、フード部材２０側に設けることもできる。
【００３２】
また、上記側壁部３２，３３の外面３５は、図４に示すように釣竿１０の外側へ突出する湾曲面に形成されている。これにより、リールシート１７の外形寸法が大きくなっており、釣人が釣竿１０を持つ際に（すなわち、リールシート１７部分を把持する際に）、握り安くなっている。
【００３３】
本実施形態によれば、次のようにしてリールを装着する。
【００３４】
まず、図２の状態からナット部材２７を緩める方向に回転させ、フード部材２０全体を図中右側に移動させる。これにより、リールを装着するための十分なスペースを確保する。
【００３５】
次いで、図３に示すように、リールの脚部２４の一端部２５をフード部１９の空間２２内に挿入し、その状態でナット部材２７を締める方向に回転させると、フード部材２０が図中左側に移動する。さらにナット部材２０を締め付けることにより、フード部材２０とフード部１９とが接近し、両者間で脚部２４がしっかりと締め付けられる。
【００３６】
このとき、上記スカート部Ｓが設けられているから、リールの脚部２４の側面部分が被われる。これにより、リールシート１７とリールの脚部２４との間に隙間（空間）が生じるのを防ぐことができる。詳述すると、リールの脚部２４は通常図に示すようなＴ字状に形成されているから、仮にスカート部Ｓがないとすれば、脚部２４をリールシート１７に固定したときに、脚部２４の一端部２５およ他端部３１の上方に上記隙間（空間）が形成される。すなわち、リールシート１７の載置面部１８とＴ字状の脚部の外縁部分との間に上記空間が生じる。そして、この空間が形成されるために、釣人が釣竿１０を握った際に、指が上記Ｔ字状の脚部２４の柱部分２４ａの両側に配置され、脚部２４の一端部２５および他端部３１の上面を握ることになる。その結果、釣竿１０を握った際のフィット感に欠ける。
【００３７】
しかし、本実施形態では、スカート部Ｓが設けられているから、このスカート部Ｓが上記隙間（空間）を塞ぐカバーの役目をする。したがって、釣人が釣竿１０を把持する場合（通常リールシート１７部分を把持する場合）には、スカート部Ｓと共にリールシート部分１７全体を把持することになるが、上記隙間が塞がれているから、釣人の手は、スカート部Ｓの外縁（側壁部３２，３３の外周３５）沿って当接しながら釣竿を握ることになる。その結果、釣人の手は釣竿１０にフィットし、しっかりと把持することができるので、手の滑り等を防止して大型の魚とのハードなファイティングも可能となる。
【００３８】
特に本実施形態では、上述したようにスカート部Ｓの外面（上記側壁部３２，３３の外面３５）が湾曲面となっているから、リールシート１７の外形寸法を拡大し、釣竿１０を把持した際に釣人の手がこの湾曲面３５に沿って当接することになる。その結果、釣人の手が釣竿１０に一層フィットするという利点がある。
【００３９】
また、上記スカート部Ｓに所要の可撓性をもたせることもできる。特に、側壁部３２，３３部分について、釣人がリールシート１７部分を握った際に、その握力によって当該側壁部３２，３３が内側に撓んでリールの脚部２４に当接するような可撓性を持たせることができる。
【００４０】
このようにすれば、釣竿１０を把持した際に、側壁部３２，３３がリールの脚部２４を左右両側から支持することになる。したがって、上記脚部２４は、リールシート１７のフード部１９およびフード部材２０によって前後方向にしっかりと固定され、しかも側壁部３２，３３によって横方向にもしっかりと固定することができる。その結果、リールを釣竿１０に強固に固定することができ、ハードなファイティングにも安心して対応することができる。
【００４１】
次に、上記実施形態の変形例について説明する。
【００４２】
図５は、上記実施形態の第１の変形例に係る釣竿４０の要部平面図であって、リールシート１７部分の構造を詳細に示したものである。
【００４３】
この変形例が上記実施形態と異なる点は、スカート部Ｓの側壁部３２，３３が、リールシート１７に取り付けられたリールの脚部の側面部分に常時当接するように形成されている点である。具体的には、図に示すように、側壁部３２，３３が内側（リールシート１７の載置面部１８側）に突出するように形成されている。なお、その他の構成については、上記実施形態と同様である。
【００４４】
スカート部Ｓをかかる形状とすることにより、リールをリールシート１７に装着した状態で、リールの脚部の側面部分にスカート部Ｓが当接するから、リールの脚部は、横方向にもしっかりと固定されることになる。このとき、側壁部３２，３３の形状（たとえば内側へ突出する寸法等）を適宜設定することにより、リールを装着した状態で側壁部３２，３３が外側へ弾性変形し、その反力としての緊迫力により、良好にリールの脚部を保持することができる。
【００４５】
さらに図６は、上記実施形態の第２の変形例に係る釣竿５０の要部平面図であって、リールシート１７部分の構造を詳細に示したものである。
【００４６】
この変形例が上記実施形態と異なる点は、スカート部Ｓの側壁部３２，３３が、リールシート１７に取り付けられたリールの脚部の側面部分に常時当接するように形成されている点、および側壁部３２，３３の後端側（フード部材２０側）が滑らかに縮径されるように曲成されており、フード部材２０がフード部１９側へ移動したときに、側壁部３２，３３の後端部分がフード部材２０の内部に挿入されるようになっている点である。なお、その他の構成については、上記実施形態と同様である。
【００４７】
この変形例においても、上記第１の変形例と同様に、側壁部３２，３３が、リールシート１７に取り付けられたリールの脚部の側面部分に常時当接する。そのため、具体的には、図に示すように、側壁部３２，３３が内側に突出するように形成されており、且つ側壁部３２，３３は、さらに後端側に向かって上述のように漸次曲成されている。
【００４８】
一方、フード部材２０は、横方向にも湾曲形成されており、横方向についても空間５１が形成されている。すなわち、上記実施形態では図３に示すように、フード部材２０の上部が上方に湾曲されており、載置面部１８との間で空間３０が形成されているのみであったが、この変形例では、フード部材２０の側部も外方に湾曲されており、これによりリールシート１７の側方部分においても空間５１が形成されている。
【００４９】
そして、この空間５１内に側壁部３２，３３の後端部分が挿入されるようになっている。しかも、この変形例では、この側壁部３２，３３が空間５１に挿入されるときに、側壁部３２，３３の外面３５がフード部材２０の内面と摺接するようになっている。つまり、フード部材２０がフード部１９側へ移動することによって、フード部材２０により押圧されて側壁部３２，３３が変形して内側へ絞り込まれるようになっている。
【００５０】
したがって、この変形例によれば、リールをリールシートに装着したときに、スカート部Ｓの側壁部３２，３３が変形してリールの脚部の両側面部分に押圧される。これにより、リールの脚部をしっかりと固定することができる。
【００５１】
なお、以上の各変形例においても、上記実施形態で示した設計変更例（スカート部Ｓに可撓性を持たせること等）を適用することができるのは勿論である。
【００５２】
また、上記実施形態および変形例では、リールシート１７はスクリュータイプのものについて説明したが、本発明はこれに限定されることなく、スライド式のものについても適用することができる。また、スカート部Ｓの側壁部３２，３３をリールシート１７のフード部１９に連続して形成する構造としたが、フード部材２０側に設けることもできる。
【００５３】
また、釣竿１０，４０が第１節１１〜第４節１４までの４つの要素により構成されているが、これに限定されることなくさらに多数の要素により構成することもできる。さらに、上記実施形態に係る釣竿１０は、いわゆるインナーガイドタイプのものを示したが、本発明はこれに限定されることなく、いわゆるアウターガイドタイプのものにも適用することができる。加えて、本発明は、振出式の釣竿に限定されることなく、インロー継式、並継式の釣竿にも適用することができる。
【００５４】
【発明の効果】
以上のように本願発明によれば、釣人が釣竿を把持した際には、釣人の手がスカート部に沿わされることになり、しっかりと把持することができるので、手の滑り等を防止してハードなファイティングが可能となる。また、このスカート部により釣用リールの脚部を横方向にも固定することができるので、釣用リールを釣竿に強固に固定することができる。したがって、ハードなファイティングにも安心して対応することができる。
【図面の簡単な説明】
【図１】本発明の一実施形態に係る釣竿の側面図である。
【図２】本発明の一実施形態に係る釣竿のリールシート部分の拡大正面図である。
【図３】本発明の一実施形態に係る釣竿のリールシート部分の一部断面拡大正面図である。
【図４】本発明の一実施形態に係る釣竿のリールシート部分の拡大平面図である。
【図５】本発明の一実施形態の第１の変形例に係る釣竿の要部平面図である。
【図６】本発明の一実施形態の第２の変形例に係る釣竿の要部平面図である。
【図７】従来の釣竿のリールシート部分の構造を示す要部拡大図である。
【符号の説明】
Ｓ  スカート部
１０  釣竿
１７  リールシート
１９  フード部
２０  フード部材
２４  脚部
２５  一端部
３１  他端部
３２  側壁部
３３  側壁部
３５  外面
４０  釣竿
５０  釣竿
【図１】
0004767438.tif 000002
【図２】
0004767438.tif 000003
【図３】
0004767438.tif 000004
【図４】
0004767438.tif 000005
【図５】
0004767438.tif 000006
【図６】
0004767438.tif 000007
【図７】
0004767438.tif 000008